(57)【要約】【課題】ユーザの操作を簡易化することができる車載通信システム及び通信制御方法を提供する。【解決手段】車載通信システムは、車載装置２と通信装置３とを備える。車載装置２は、車輌の停車時に所定の信号を通信装置３に送信する。通信装置３は、所定の距離内に存在する前記車載装置２と無線通信を行い、所定の信号を受信する無線通信部３４と、無線通信部３４の無線通信機能の有効化／無効化を切替える制御部３０とを備える。制御部３０は、所定の信号の受信に応じて、車輌の停車位置情報を取得して記憶部３２に記録する。無線通信機能が無効化された場合、制御部３０は、ＧＰＳ受信部３５が受信した位置情報が、記録されている停車位置情報に一致するか否かを判定し、位置情報が停車位置情報に一致していると判定された場合、無線通信手段の無線通信機能を有効化する。【選択図】図３
2015154202.tif 000002
【特許請求の範囲】
【請求項１】
車輌に搭載される車載装置と、所定の距離内に存在する前記車載装置と無線通信を行う無線通信手段、及び該無線通信手段の無線通信機能の有効化／無効化を切替える切替手段を有する通信装置とを備える車載通信システムにおいて、
前記車載装置は、前記車輌の停車時に所定の信号を前記通信装置に送信する送信手段を備え、
前記無線通信手段は、前記送信手段により送信された前記所定の信号を受信するようにしてあり、
前記通信装置は、
前記無線通信手段が前記所定の信号を受信した場合、前記車輌の停車位置に係る停車位置情報を取得する取得手段と、
該取得手段により取得された停車位置情報を記録する記録手段と、
自装置の位置に係る位置情報を獲得する獲得手段と、
前記無線通信機能が前記切替手段により無効化された場合、該獲得手段により獲得された位置情報が前記記録手段により記録されている停車位置情報に一致するか否かを判定する判定手段と
を備え、
前記切替手段は、該判定手段により前記位置情報が前記停車位置情報に一致していると判定された場合、前記無線通信手段の無線通信機能を有効化するようにしてあることを特徴とする車載通信システム。
【請求項２】
前記通信装置は、
車輌に関する所定のプログラムを記憶する記憶手段と、
前記判定手段により前記位置情報が前記停車位置情報に一致していると判定された場合、前記所定のプログラムを実行する手段と
を備えることを特徴とする請求項１に記載の車載通信システム。
【請求項３】
前記取得手段は、前記停車位置情報として、停車時に前記獲得手段により獲得される位置情報を取得するようにしてあることを特徴とする請求項１又は請求項２に記載の車載通信システム。
【請求項４】
前記車載装置は、前記車輌の停車位置に係る位置情報を獲得する獲得手段を備え、
前記取得手段は、前記停車位置情報として、該車載装置の獲得手段により獲得される位置情報を取得するようにしてあることを特徴とする請求項１から請求項３のいずれか一つに記載の車載通信システム。
【請求項５】
車輌に搭載される車載装置と、所定の距離内に存在する前記車載装置と無線通信を行う無線通信手段、及び該無線通信手段の無線通信機能の有効化／無効化を切替える切替手段を有する通信装置とを備える車載通信システムにおける通信制御方法において、
前記車載装置が、
前記車輌の停車時に所定の信号を前記通信装置に送信し、
前記通信装置が、
前記無線通信手段にて前記所定の信号を受信し、
前記車輌の停車位置に係る停車位置情報を取得し、
取得された停車位置情報を記録し、
自装置の位置に係る位置情報を獲得し、
前記無線通信機能が前記切替手段により無効化された場合、獲得された位置情報が記録されている停車位置情報に一致するか否かを判定し、
前記位置情報が前記停車位置情報に一致していると判定された場合、前記切替手段にて前記無線通信機能を有効化することを特徴とする通信制御方法。
【発明の詳細な説明】
【技術分野】
【０００１】
本発明は、ユーザが所持する通信装置を利用する車載通信システムに関し、特に、ユーザの操作を簡易化することができる車載通信システム及び通信制御方法に関する。
【背景技術】
【０００２】
近年の車輌には、走行制御に係る車載装置のみでなく、車内のユーザの快適性向上又は娯楽等を目的とした種々の車載装置が搭載される。また、携帯電話機、スマートフォン又はタブレット型端末等のユーザが所持する通信装置の進歩が目覚ましくなっている。これらの通信装置と車載装置とが連携して処理を行って、高度なサービスをユーザに提供するシステムが実用化されている。
【０００３】
このようなシステムにおいて、車載装置及び通信装置は、いずれもＷｉＦｉ等の無線ＬＡＮ通信機能を有する。通信装置は、車載装置と無線ＬＡＮ通信を行うとともに、インストールされた特定のアプリケーションを起動することにより、車載装置と連携して、各種の機能が発揮される。
【０００４】
通信装置の無線ＬＡＮ通信機能を常に有効にする場合、通信していないにも関わらず無駄に電力を消費することになる。そこで、「ＡｕｔｏＷｉＦｉ」というスマートフォンアプリケーションが開発されている。このアプリケーションでは、ユーザが予め設定した地点に到着すると、自動的にスマートフォンのＷｉＦｉ機能を有効化し、当該地点から離れるとＷｉＦｉ機能を無効化することで、省電力化が図れる。
【先行技術文献】
【特許文献】
【０００５】
【特許文献１】特開平１１−１８６９５５号公報
【発明の概要】
【発明が解決しようとする課題】
【０００６】
しかしながら、「ＡｕｔｏＷｉＦｉ」というアプリケーションを、車載装置と連携する通信装置に用いる場合、毎回の停車場所が必ずしも同じとは限らないため、ユーザが停車して停車位置に戻る際に、通信装置はＷｉＦｉ機能が無効且つ特定のアプリケーションが起動されていない状態になる可能性がある。この場合、ユーザが手動でＷｉＦｉ機能を有効にし、特定のアプリケーションを起動する必要があり、手間がかかる。
【０００７】
本発明は、斯かる事情に鑑みてなされたものであって、その目的とするところは、通信装置における車載装置との無線通信機能を、ユーザが停車して停車位置に戻る際に自動的に有効化し、ユーザの操作を簡易化することができる車載通信システム及び通信制御方法を提供することにある。
【課題を解決するための手段】
【０００８】
本発明に係る車載通信システムは、車輌に搭載される車載装置と、所定の距離内に存在する前記車載装置と無線通信を行う無線通信手段、及び該無線通信手段の無線通信機能の有効化／無効化を切替える切替手段を有する通信装置とを備える車載通信システムにおいて、前記車載装置は、前記車輌の停車時に所定の信号を前記通信装置に送信する送信手段を備え、前記無線通信手段は、前記送信手段により送信された前記所定の信号を受信するようにしてあり、前記通信装置は、前記無線通信手段が前記所定の信号を受信した場合、前記車輌の停車位置に係る停車位置情報を取得する取得手段と、該取得手段により取得された停車位置情報を記録する記録手段と、自装置の位置に係る位置情報を獲得する獲得手段と、前記無線通信機能が前記切替手段により無効化された場合、該獲得手段により獲得された位置情報が前記記録手段により記録されている停車位置情報に一致するか否かを判定する判定手段とを備え、前記切替手段は、該判定手段により前記位置情報が前記停車位置情報に一致していると判定された場合、前記無線通信手段の無線通信機能を有効化するようにしてあることを特徴とする。
【０００９】
本発明に係る車載通信システムは、前記通信装置は、車輌に関する所定のプログラムを記憶する記憶手段と、前記判定手段により前記位置情報が前記停車位置情報に一致していると判定された場合、前記所定のプログラムを実行する手段とを備えることを特徴とする。
【００１０】
本発明に係る車載通信システムは、前記取得手段は、前記停車位置情報として、停車時に前記獲得手段により獲得される位置情報を取得するようにしてあることを特徴とする。
【００１１】
本発明に係る車載通信システムは、前記車載装置は、前記車輌の停車位置に係る位置情報を獲得する獲得手段を備え、前記取得手段は、前記停車位置情報として、該車載装置の獲得手段により獲得される位置情報を取得するようにしてあることを特徴とする。
【００１２】
本発明に係る通信制御方法は、車輌に搭載される車載装置と、所定の距離内に存在する前記車載装置と無線通信を行う無線通信手段、及び該無線通信手段の無線通信機能の有効化／無効化を切替える切替手段を有する通信装置とを備える車載通信システムにおける通信制御方法において、前記車載装置が、前記車輌の停車時に所定の信号を前記通信装置に送信し、前記通信装置が、前記無線通信手段にて前記所定の信号を受信し、前記車輌の停車位置に係る停車位置情報を取得し、取得された停車位置情報を記録し、自装置の位置に係る位置情報を獲得し、前記無線通信機能が前記切替手段により無効化された場合、獲得された位置情報が記録されている停車位置情報に一致するか否かを判定し、前記位置情報が前記停車位置情報に一致していると判定された場合、前記切替手段にて前記無線通信機能を有効化することを特徴とする。
【００１３】
本発明においては、停車時に、車載装置から通信装置に所定の信号が送信され、通信装置は、該所定の信号を受信した場合、車輌の停車位置情報を取得して記録する。無線通信手段の無線通信機能が無効化された場合、通信装置は、自装置の位置情報と記録されている停車位置情報とが一致していると判定した場合、無線通信手段の無線通信機能を有効化する。これにより、ユーザが停車して停車位置に戻る際に、通信装置の無線通信機能は自動的に有効化される。
【００１４】
本発明においては、通信装置は、自装置の位置情報が記録されている停車位置情報に一致している場合、車載装置と連携するためのプログラムを実行する。これにより、ユーザが停車して停車位置に戻る際に、車載装置と連携するためのプログラムは自動的に起動される。
【００１５】
本発明においては、通信装置は、停車時に取得された自装置の位置情報を車輌の停車位置情報として取得する。これにより、車輌側に位置情報を獲得する手段を設ける必要がなく、通信装置のみを利用して停車位置情報及び通信装置の位置情報を得ることができる。
【００１６】
本発明においては、通信装置は、車載装置が獲得した車輌の位置情報を停車位置情報として取得する。これにより、停車位置に係る情報は確実に得られる。
【発明の効果】
【００１７】
本発明に係る車載通信システムは、停車時に、車載装置から通信装置に所定の信号が送信され、通信装置が該所定の信号を受信した場合、車輌の停車位置情報を取得して記録しておき、通信装置の無線通信機能が無効化された場合、自装置の位置情報が記録されている停車位置情報に一致しているときに、無線通信手段の無線通信機能を有効化する。これにより、ユーザは、車輌へ近づく、又は車内に乗り込む際に、通信装置と車載装置との無線通信を開始することができ、操作が簡易化される。
【図面の簡単な説明】
【００１８】
【図１】本実施の形態に係る車載通信システムの構成を示す模式図である。
【図２】実施の形態１における車載通信装置の構成を示すブロック図である。
【図３】実施の形態１における通信装置の構成を示すブロック図である。
【図４】実施の形態１における通信装置の制御部による処理手順の一例を示すフローチャートである。
【図５】実施の形態２における車載通信装置の構成を示すブロック図である。
【発明を実施するための形態】
【００１９】
（実施の形態１）
以下、本発明をその実施の形態を示す図面に基づき具体的に説明する。図１は、本実施の形態に係る車載通信システムの構成を示す模式図である。図において破線で示す１は車輌であり、車輌１には、車載通信装置２、ゲートウェイ４、及びＥＣＵ（Electronic Controller Unit）５等の車載装置が搭載されている。車輌１には、共通の通信線にバス接続された複数のＥＣＵ５による通信グループが複数存在する。ゲートウェイ４には、複数の通信線が接続されている。ゲートウェイ４は、通信グループ間の通信を中継する。また、ゲートウェイ４は、車載通信装置２に接続されており、車載通信装置２からの情報をＥＣＵ５へ送信すると共に、ＥＣＵ５から受信した情報を車載通信装置２へ与える。
【００２０】
車載通信装置２は、ユーザが所持する通信装置３と、ゲートウェイ４及びＥＣＵ５等を含んで構成された車輌１の車内ネットワークとの間の通信を中継する機能を有する。
【００２１】
通信装置３は、例えばユーザが所持する携帯電話機、スマートフォン、タブレット型端末又はノートＰＣ（Personal Computer）等の装置であり、車載通信装置２との間で無線ＬＡＮ通信を行う。
【００２２】
図２は実施の形態１における車載通信装置２の構成を示すブロック図である。車載通信装置２は、制御部２０、一時記憶部２１、記憶部２２、無線通信部２３、及び車内通信部２４等を備えている。
【００２３】
制御部２０はＣＰＵ（Central Processing Unit）を用いて構成されている。制御部２０は、記憶部２２に記憶された一又は複数のプログラムを一時記憶部２１に読み出して実行することにより、種々の処理を行う。
【００２４】
一時記憶部２１は、ＳＲＡＭ（Static ＲＡＭ）又はＤＲＡＭ（Dynamic RAM）等のメモリ素子を用いて構成されている。一時記憶部２１は、制御部２０が実行するプログラム及び実行に必要なデータ等が一時的に記憶される。
【００２５】
記憶部２２は、フラッシュメモリ若しくはＥＥＰＲＯＭ（Electrically Erasable Programmable Read Only Memory）等の不揮発性のメモリ素子、又は、ハードディスクなどの磁気記憶装置等を用いて構成されている。記憶部２２は、制御部２０が実行するプログラム及び実行に必要なデータ等を記憶する。
【００２６】
無線通信部２３は、無線ＬＡＮアンテナ及びＷｉＦｉチップを含むＷｉＦｉモジュールを用いて構成されている。無線通信部２３は、車輌１内又は車輌１から無線信号が到達する範囲内に存在する通信装置３との間で無線ＬＡＮ通信を行う。無線通信部２３は、制御部２０から与えられた情報を通信装置３へ送信すると共に、通信装置３から受信した情報を制御部２０へ与える。なお、無線通信部２３による通信規格は、ＷｉＦｉ対応の無線ＬＡＮには限らず、他の無線ＬＡＮでもよいことは勿論、Bluetooth（登録商標）、赤外線、若しくは光通信等の無線通信を用いる構成としてもよい。
【００２７】
車内通信部２４は、車輌１に搭載されたゲートウェイ４に通信ケーブルを介して接続されている。車内通信部２４は、例えばＣＡＮ（Controller Area Network）又はＬＩＮ（Local Interconnect Network）等の規格に応じて、ゲートウェイ４との通信を行う。車内通信部２４は、制御部２０から与えられた情報をゲートウェイ４へ送信すると共に、ゲートウェイ４から受信した情報を制御部２０へ与える。
【００２８】
また、車載通信装置２は、例えばＥＣＵ５に接続された車速センサ（不図示）からの出力信号を取得することにより、車輌１が停車しているか否かを判定することができる。車載通信装置２は、車輌１が停車していると判定した場合、無線通信部２３を介して、所定の信号を通信装置３へ送信する。ここで、所定の信号は、通信装置３に停車位置情報の取得及び記録を指示する信号であり、必要に応じて任意に設定すればよい。
【００２９】
図３は実施の形態１における通信装置３の構成を示すブロック図である。通信装置３は、制御部３０、一時記憶部３１、記憶部３２、基地局通信部３３、無線通信部３４及びＧＰＳ受信部３５を備えている。
【００３０】
制御部３０は、ＣＰＵを用いて構成され、タイマ（不図示）を備えている。制御部３０は、記憶部３２に記憶された各アプリケーション用のプログラムを含む複数のプログラムを一時記憶部３１に読み出して実行することにより、各構成部を制御し、種々の機能を発揮させる。
【００３１】
一時記憶部３１は、ＳＲＡＭ（Static ＲＡＭ）又はＤＲＡＭ（Dynamic RAM）等のメモリ素子を用いて構成されている。一時記憶部３１は、制御部３０が実行するプログラム及び実行に必要なデータ等が一時的に記憶される。
【００３２】
記憶部３２は、フラッシュメモリ若しくはＥＥＰＲＯＭ（Electrically Erasable Programmable Read Only Memory）等の不揮発性のメモリ素子、又は、ハードディスクなどの磁気記憶装置等を用いて構成されている。記憶部３２は、処理時に参照する情報を記憶する。記憶部３２は、制御部３０が読み出す基本となるＯＳ（Operating System）プログラム、及び各アプリケーション用のプログラムのほか、制御部３０が無線通信部３４による無線ＬＡＮ通信機能の有効化／無効化を切り替えるための制御プログラム１Ｐ、車載装置と連携するためのアプリケーション用のプログラム１Ａを記憶している。また、記憶部３２は、後述する停車位置情報を記録する記録領域が備える。取得された停車位置情報は、当該記録領域に上書きで記録される。
【００３３】
基地局通信部３３は、基地局と接続して通信を実行するための通信モジュールを用いて構成されている。基地局通信部３３により、移動通信網を介した音声通話が可能となると共に、インターネット等の公衆通信網を介したデータ通信が可能である。
【００３４】
無線通信部３４は、無線ＬＡＮアンテナ及びＷｉＦｉチップを含むＷｉＦｉモジュールを用いて構成されている。無線通信部３４は、無線信号が到達する範囲内に存在する車載通信装置２との間で無線通信を実現する。無線通信部３４の無線ＬＡＮ通信機能は、無効化／有効化の切替が可能であり、有効化されている間、通信対象の機器を探索する処理を定期的に行なう。無効化／有効化の切替は、制御部３０からの指示に基づき行なわれる。なお、無線通信部３４による通信規格は、ＷｉＦｉ対応の無線ＬＡＮには限らず、他の無線ＬＡＮでもよいことは勿論、Bluetooth（登録商標）、赤外線、若しくは光通信等の無線通信を用いる構成としてもよい。
【００３５】
ＧＰＳ受信部３５は、ＧＰＳ（Global Positioning System）の複数の人工衛星から受信された信号を受信し、通信装置３の位置に係る位置情報を獲得する。ＧＰＳ受信部３５は、獲得した位置情報を制御部３０へ与える。
【００３６】
このように構成される車載通信システムにおいて、通信装置３の無線ＬＡＮ通信機能の有効化／無効化を切替える処理手順の詳細を、フローチャートを参照して説明する。図４は実施の形態１における通信装置３の制御部３０による処理手順の一例を示すフローチャートである。通信装置３の制御部３０は、無線通信部３４による無線ＬＡＮ通信機能が有効化され、車載装置と連携するためのアプリケーション用のプログラム１Ａが起動されている場合、制御プログラム１Ｐに基づき、以下に示す処理を実行する。
【００３７】
制御部３０は、車載通信装置２から所定の信号を受信したか否かを判定する（ステップＳ１）。制御部３０は、所定の信号を受信していないと判断した場合（ステップＳ１：ＮＯ）、処理をステップＳ１へ戻し、所定の信号を受信するまで待機する。
【００３８】
所定の信号を受信したと判断した場合（ステップＳ１：ＹＥＳ）、制御部３０は、現時点にＧＰＳ受信部３５により与えられた位置情報を、停車位置情報として取得し（ステップＳ２）、取得した停車位置情報を記憶部３２に記録する（ステップＳ３）。
【００３９】
次いで、制御部３０は、車載通信装置２と通信装置３との通信が途切れているか否かを判定する（ステップＳ４）。制御部３０は、車載通信装置２と通信装置３との通信が途切れていないと判定された場合（ステップＳ４：ＮＯ）、処理をステップＳ１に戻し、車載通信装置２と通信装置３との通信が途切れていると判定された場合（ステップＳ４：ＹＥＳ）、無線通信部３４の無線ＬＡＮ通信機能を無効化する（ステップＳ５）。
【００４０】
次いで、制御部３０は、タイマをセットする（ステップＳ６）。制御部３０は、タイマの時間が所定時間を超えたか否かを判定する（ステップＳ７）。ここで、所定時間は予め設定された、通信装置３の位置情報が停車位置情報に一致するか否かを判定する間隔であり、必要に応じて任意に設定すればよい。
【００４１】
所定時間を超えていないと判定された場合（ステップＳ７：ＮＯ）、制御部３０は、処理をステップＳ７に戻し、所定時間を超えるまで、ステップＳ７の処理を繰り返す。所定時間を超えたと判定された場合（ステップＳ７：ＹＥＳ）、制御部３０は、ＧＰＳ受信部３５により与えられた現在の位置情報が、記憶部３２に記録されている停車位置情報と一致するか否かを判定する（ステップＳ８）。ＧＰＳによる位置検出の誤差を考慮すると、本発明における「一致」という用語は、完全に一致する場合だけでなく、ＧＰＳによる位置検出の誤差範囲内で一致する場合を含んでもよい。例えば、記録されている停車位置情報から所定の範囲を、一致とみなす範囲として設定し、通信装置３の現在位置が当該範囲内であれば一致と判定してもよい。
【００４２】
一致していないと判定された場合（ステップＳ８：ＮＯ）、制御部３０は、タイマをリセットし（ステップＳ９）、処理をステップＳ７に戻す。一致すると判定された場合（ステップＳ８：ＹＥＳ）、制御部３０は、無線通信部３４の無線ＬＡＮ通信機能を有効化し（ステップＳ１０）、プログラム１Ａを読み出して実行し（ステップＳ１１）、処理を終了する。
【００４３】
本実施の形態に係る車載通信システムでは、車載通信装置２は、停車している期間に、無線通信部２３を介して、所定の信号を通信装置３へ送信し、通信装置３は、所定の信号の受信に応じて、車輌１の停車位置情報として、自装置の位置情報を取得して記録しておき、無線ＬＡＮ通信機能が無効化された後に、自装置の現在の位置情報と記録しておいた停車位置情報とを比較し、自装置の現在の位置情報が記録されている停車位置情報に一致している場合、無線ＬＡＮ通信機能を有効化し、連携用のプログラム１Ａを起動する。これにより、ユーザが停車して停車位置に戻る際に、通信装置３における車載装置２との無線ＬＡＮ通信機能を自動的に有効化し、連携用のプログラム１Ａを自動的に起動することができ、ユーザの操作を簡易化することができる。
【００４４】
（実施の形態２）
図５は、実施の形態２における車載通信装置２の構成を示すブロック図である。実施の形態２において、車載通信装置２は、制御部２０、一時記憶部２１、記憶部２２、無線通信部２３、車内通信部２４、及び位置情報獲得部２５を備えている。実施の形態２における車載通信システムは、位置情報獲得部２５以外が実施の形態１と同様に構成されている。従って、共通する構成には同一の符号を付して詳細な説明を省略する。
【００４５】
位置情報獲得部２５は、車輌１の位置情報を獲得して制御部２０へ与える。位置情報獲得部２５は、例えばＧＰＳの複数の人工衛星から送信された信号を受信するアンテナなどが接続され、車輌１の位置情報を獲得する。なお、車輌１にカーナビゲーション装置が搭載されている場合、位置情報獲得部２５は、カーナビゲーション装置に接続され、車輌１の位置情報をカーナビゲーション装置から獲得するように構成されてもよい。
【００４６】
車載通信装置２は、停車している期間に、無線通信部２３を介して、車輌１の位置情報及び所定の信号を通信装置３へ送信する。
【００４７】
通信装置３は、無線通信部３４を介して、車載通信装置２からの車輌１の位置情報及び所定の信号を受信する。図４のステップＳ２において、制御部３０は、受信した位置情報を停車位置情報として取得する。
【００４８】
本実施の形態に係る車載通信システムでは、車載通信装置２は、停車している期間に、無線通信部２３を介して、車輌１の位置情報及び所定の信号を通信装置３へ送信し、通信装置３は、所定の信号の受信に応じて、停車位置情報として、車載通信装置２から送信された車輌１の位置情報を取得して記録しておき、無線ＬＡＮ通信機能が無効化された場合、自装置の現在の位置情報と記録しておいた停車位置情報とを比較し、自装置の現在の位置情報が記録されている停車位置情報に一致している場合、無線ＬＡＮ通信機能を有効化し、連携用のプログラム１Ａを起動する。これにより、ユーザが停車して停車位置に戻る際に、通信装置３における車載装置２との無線ＬＡＮ通信機能を自動的に有効化し、連携用のプログラム１Ａを自動的に起動することができ、ユーザの操作を簡易化することができる。
【００４９】
また、本実施の形態では、制御部３０は、図４のステップＳ４において、ＧＰＳ受信部３５により与えられた現在の位置情報が、記録されている停車位置情報に一致しているか否かを判定し、一致していると判定した場合、処理をステップＳ１に戻し、一致しないと判定した場合、無線通信部３４の無線ＬＡＮ通信機能を無効化するように構成されてもよい。
【００５０】
実施の形態１及び２に示したように、通信装置３では、制御プログラム１Ｐ及びアプリケーション用のプログラム１Ａを予めインストールしておくことで、制御部３０が、制御プログラム１Ｐに基づき、通信装置３を所持するユーザが停車位置に戻る際に無線ＬＡＮ通信機能を有効化すると共に、連携用のプログラム１Ａを起動し、車載装置との連携処理を開始する。これにより、ユーザは、車輌１へ近づく、又は車内に乗り込む動作のみで、車載装置と通信装置３との連携によって発揮される機能を享受することができる。
【００５１】
また、実施の形態１及び２では、通信装置３は、車載通信装置２との通信が途切れている場合に無線ＬＡＮ通信機能を無効化するように構成されているが、通信装置３は、車載通信装置２との通信が所定時間途切れている場合、又はプログラム１Ａが終了された場合に無線ＬＡＮ通信機能を無効化するように構成されてもよい。
【００５２】
さらに、上述した制御部３０による処理を実現する制御プログラム１Ｐは、従来からスマートフォン等で用いられているＷｉＦｉ制御プログラムに組み込まれるようにしてもよいし、アプリケーションを監視、制御する制御プログラムに組み込まれるようにしてもよい。
【００５３】
なお、上述のように開示された本実施の形態はすべての点で例示であって、制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００５４】
１  車輌
２  車載通信装置（車載装置）
２０  制御部
２１  一時記憶部
２２  記憶部
２３  無線通信部（送信手段）
２４  車内通信部
２５  位置情報獲得部（獲得手段）
３  通信装置
３０  制御部（切替手段、取得手段、判定手段）
３１  一時記憶部
３２  記憶部（記録手段、記憶手段）
３３  基地局通信部
３４  無線通信部（無線通信手段）
３５  ＧＰＳ受信部（獲得手段）
４  ゲートウェイ
５  ＥＣＵ
【図１】
2015154202.tif 000003
【図２】
2015154202.tif 000004
【図３】
2015154202.tif 000005
【図４】
2015154202.tif 000006
【図５】
2015154202.tif 000007